(57)【要約】【課題】交流電流が流れる配線の近傍に、巻線が施された磁性体を有する配電手段を設け、該配電手段の巻線に電磁的に誘導されて流れる電流を利用して被給電体に電力を供給する給電装置おいて、配線の長さや配電手段の数が異なる場合でも同一の電源で安定した電力を被給電体に供給する。【解決手段】配線１８に流れる交流電流を電流検出手段１７により検出し、その検出された交流電流の大きさに応じて負荷調整手段１９の巻線の巻数を切り換えて配線１８に接続することにより配線１８に流れる交流電流の大きさを調整する。【選択図】          図１
2004166449.tif 000002
【特許請求の範囲】
【請求項１】
交流電流が流れる配線と、巻線が施され該巻線が前記配線に近接するよう該配線の近傍に設けられた磁性体を有し、前記巻線に流れる前記交流電流に応じた双方向電流を被給電体に配電する少なくとも１つの配電手段とを備えた給電装置において、
前記配線に流れる交流電流を検出する電流検出手段と、
少なくとも１つの負荷を有してなり、前記電流検出手段により検出された交流電流の大きさに応じて前記負荷を前記配線に接続することにより前記交流電流の大きさを調整する負荷調整手段とを有することを特徴とする給電装置。
【請求項２】
前記負荷調整手段が、前記負荷として巻線を有し、
該巻線の巻数を切り換えて接続することにより前記交流電流の大きさを調整するものであることを特徴とする請求項１記載の給電装置。
【請求項３】
前記負荷調整手段が、前記負荷として直列に接続された複数の抵抗素子を有し、
該抵抗素子の数を切り換えて接続することにより前記交流電流の大きさを調整するものであることを特徴とする請求項１記載の給電装置。
【請求項４】
前記配電手段が前記配線に対して着脱可能なものであり、
前記電流検出手段により検出された交流電流の大きさに基づいて前記配線に前記配電手段が設けられていない状態を検出する配線状態検出手段を有することを特徴とする請求項１から３いずれか１項記載の給電装置。
【請求項５】
前記交流電流を出力する交流電源と、
前記配線状態検出手段により前記配線に前記配電手段が設けられていない状態であることが検出されている間、前記配線に交流電流を間欠的に流すように前記交流電源を制御する交流電源制御手段とを有することを特徴とする請求項４記載の給電装置。
【請求項６】
前記配電手段が、前記配線に対して着脱可能なものであるとともに、前記磁性体に配線検出用巻線が設けられたものであり、
前記配線用巻線において発生する電圧の大きさが所定の閾値以下であることを検出する電圧検出手段を有することを特徴とする請求項１から３いずれか１項記載の給電装置。
【請求項７】
前記交流電流を出力する交流電源と、
前記電圧検出手段により前記少なくとも１つの配電手段の全ての前記配線検出用巻線の電圧の大きさが前記閾値以下であることが検出されている間、前記配線に交流電流を間欠的に流すように前記交流電源を制御する交流電源制御手段とを有することを特徴とする請求項６記載の給電装置。
【発明の詳細な説明】
【０００１】
【発明の属する技術分野】
本発明は、交流電流が流れる配線の近傍に、巻線が施された磁性体を設け、上記巻線に電磁的に誘導されて流れる電流を利用して被給電体に電力を供給する給電装置に関するものである。
【０００２】
【従来の技術】
従来、家庭用電源や電池などの電源を利用して電球や蛍光灯などの被給電体を点灯させる場合には、その電源等に接続された配線に電球などを直接接続することにより電球などに電力を供給するか、または配線にコネクターやソケット等を接続し、その接続されたコネクターやソケットを介して電球などに電力を供給していた。例えば、クリスマスツリーに装飾される電飾装置においては、配線に予め複数のソケットが設けられ、このソケットを介して電球に電力が供給されるが、上記のようにソケットなどを介して電力を供給したのでは、例えば、使用者が電球の位置や個数を変更しようとした場合、電力を取り出すソケットの位置や個数を変更する必要があり、そのためには一旦配線を切断して再び接続したり、追加したりしなければならず容易ではなく、また、ソケットなどは配線と直接的な電気的接触をもつので、漏電や短絡といった電気的な要因による事故が生じる恐れがある。そこで、本出願人は、交流電流が流れる配線の近傍に、巻線が施された磁性体を有する配電手段を設け、該配電手段の巻線に電磁的に誘導されて流れる電流を利用して被給電体に電力を供給する給電装置を提案している。
【０００３】
【特許文献１】
特開平８−３０５４５０号公報
【０００４】
【特許文献２】
特開平１０−２１５５３０号公報
【０００５】
【発明が解決しようとする課題】
しかしながら、上記のような給電装置においては、被給電装置の設置目的や設置環境によって交流電流の配線の長さが異なり、配線のインピーダンスが異なるため、配線の長さが異なる給電装置に同一の電源を用いた場合には、配線の長さが比較的短い給電装置において過大な交流電流が流れてしまったり、配線の長さが比較的長い給電装置において十分な交流電流が流れなかったりする。したがって、全ての給電装置において被給電体に安定した電力を供給するためには配線の長さに応じて電源の電圧を調整するなどの作業が必要となり、また、電源装置が大型化するという問題が生じていた。また、配線に複数の配電手段を設ける場合においても、その数によってインピーダンスが異なるため上記と同様の問題を生じる。さらに、複数の配電手段として着脱可能なものを使用した場合には、１つの給電装置において配電手段の数に応じて交流電流の大きさが異なるため、被給電体に安定した電力を供給することが困難となる。
【０００６】
本発明は、上記のような事情に鑑み、交流電流が流れる配線の近傍に、巻線が施された磁性体を有する配電手段を設け、該配電手段の巻線に電磁的に誘導されて流れる電流を利用して被給電体に電力を供給する給電装置において、配線の長さや配電手段の数が異なる場合でも同一の電源で安定した電力を被給電体に供給することができる給電装置を提供することを目的とするものである。
【０００７】
【課題を解決するための手段】
本発明の給電装置は、交流電流が流れる配線と、巻線が施されその巻線が配線に近接するよう上記配線の近傍に設けられた磁性体を有し、巻線に流れる交流電流に応じた双方向電流を被給電体に配電する少なくとも１つの配電手段とを備えた給電装置において、配線に流れる交流電流を検出する電流検出手段と、少なくとも１つの負荷を有してなり、電流検出手段により検出された交流電流の大きさに応じて負荷を配線に接続することにより交流電流の大きさを調整する負荷調整手段とを有することを特徴とするものである。
【０００８】
ここで、上記「交流電流」とは、例えば、家庭用電源から出力されるものでもよいし、直流電源から出力される直流電流を交流電流に変換したものでもよい。
【０００９】
また、上記「配線」とは、上記交流電流を流すために配された、例えば、銅線などを意味する。もしくは、上記銅線などに被覆を施したものとしてもよい。
【００１０】
また、上記「巻線が配線に近接する」とは、巻線が配線に直接的な電気的接触をもつことなく、配線の近くに位置していることを意味する。ただし、配線が被覆されているときには、この被覆に接して配設されている場合も含むものとする。また、上記巻線は配線の配線方向と略同一方向に施されることが望ましい。
【００１１】
また、上記「双方向電流」とは、配線に流れる交流電流によって上記巻線に電磁誘導された電流であり、交流電流に応じた周期で正負方向に切り替わる電流を意味する。
【００１２】
また、上記「被給電体」とは、例えば、電球やセンサなどを意味するが、必ずしも上記「配電手段」に直接接続して一体化する必要はなく、例えば、配電手段にソケットやコンセントなどの間接的な接続手段を設け、この接続手段を介して被給電体が双方向電流に基づく電力の供給をうけるようにしてもよい。
【００１３】
また、上記「交流電流の大きさを調整する」とは、たとえば、交流電流の大きさが所定の一定の範囲内になるように、好ましくは予め設定された所定の電流値となるように調整することをいう。
【００１４】
また、上記給電装置においては、負荷調整手段を、負荷として巻線を有するものとし、その巻線の巻数を切り換えて接続することにより交流電流の大きさを調整するものとすることができる。
【００１５】
また、負荷調整手段を、負荷として直列に接続された複数の抵抗素子を有するものとし、その抵抗素子の数を切り換えて接続することにより交流電流の大きさを調整するものとすることができる。
【００１６】
また、配電手段を配線に対して着脱可能なものとし、電流検出手段により検出された交流電流の大きさに基づいて配線に配電手段が設けられていない状態を検出する配線状態検出手段を有するものとすることができる。
【００１７】
ここで、上記「配線に対して着脱可能」とは、配電手段が上記配線に磁性体が近接するように取り付けることが可能であり、かつ配線から取り外すことも可能であることを意味する。
【００１８】
また、上記「電流検出手段により検出された交流電流の大きさに基づいて配線に配電手段が設けられていない状態を検出する」とは、たとえば、交流電流の電流値そのものを検出し、この電流値が所定の閾値以上であることを検出することにより配線に配電手段が設けられていない状態を検出するようにしてもよいし、配線に配電手段が設けられていない状態における上記負荷の接続状態を予め記憶しておき、負荷の接続状態が上記予め記憶した状態であることを検出することにより配線に配電手段が設けられていない状態を検出するようにしてもよい。なお、上記所定の閾値とは、予め実験などにより測定された配線に配電手段が設けられていない状態で配線に流れる交流電流の電流値である。
【００１９】
また、交流電流を出力する交流電源と、配線状態検出手段により配線に配電手段が設けられていない状態であることが検出されている間、配線に交流電流を間欠的に流すように交流電源を制御する交流電源制御手段とを有するものとすることができる。
【００２０】
また、配電手段を配線に対して着脱可能なものとするとともに、磁性体に配線検出用巻線を設けるようにし、配線用巻線において発生する電圧が所定の閾値以下であることを検出する電圧検出手段を有するものとすることができる。
【００２１】
また、交流電流を出力する交流電源と、電圧検出手段により少なくとも１つの配電手段の全ての配線検出用巻線の電圧が所定の閾値以下であることが検出されている間、配線に交流電流を間欠的に流すように交流電源を制御する交流電源制御手段とを有するものとすることができる。
【００２２】
【発明の効果】
本発明の給電装置によれば、配線に流れる交流電流を検出し、その検出された交流電流の大きさに応じて少なくとも１つの負荷を配線に接続することにより交流電流の大きさを調整するようにしたので、配線の長さや配電手段の数が異なる場合でも同一の電源で安定した電力を被給電体に供給することができる。
【００２３】
また、上記給電装置において、負荷調整手段における巻線の巻数を切り換えて接続することにより交流電流の大きさを調整するようにしたり、または負荷調整手段における抵抗素子の数を切り換えて接続することにより交流電流の大きさを調整するようにした場合には、交流電流の大きさの調整を簡易な構成で容易に行うことができる。
【００２４】
また、配電手段を配線に対して着脱可能なものとし、配線に配電手段が設けられていない状態を電流検出手段により検出された交流電流の大きさに基づいて検出するようにした場合には、たとえば、配線に配電手段が設けられていない状態であることが検出されている間、配線に交流電流を間欠的に流すように交流電源を制御するようにすれば、無駄に交流電流を流すことを回避することができる。
【００２５】
また、配電手段を配線に対して着脱可能なものとするとともに、磁性体に配線検出用巻線を設けるようにし、配線用巻線において発生する電圧が所定の閾値以下であることを検出するようにした場合には、たとえば、全ての配線検出用巻線の電圧が所定の閾値以下であることが検出されている間、配線に交流電流を間欠的に流すように交流電源を制御するようにすれば、無駄に交流電流を流すことを回避することができる。また、配電手段が配線に設けられていない状態を簡易な構成で検出することができる。
【００２６】
【発明の実施の形態】
以下、図面を参照しながら本発明の給電装置の一実施形態について説明する。図１は本発明による給電装置の一実施形態の概略構成図である。図２は後述する制御手段１６、電流検出手段１７および負荷調整手段１９の詳細な回路図である。
【００２７】
本給電装置は、直流電流を出力する直流電源１０、該直流電源１０に接続され所定の周波数の信号を発生して出力する発振回路１２、発振回路１２から出力された信号を所望の周波数に分周して分周信号を出力する信号発生回路１４、信号発生回路１４から出力された分周信号を正負方向に切り換えて出力する制御手段１６、制御手段１６から出力された交流電流が流れる配線１８、配線１８の近傍に設けられ、配線１８に流れる交流電流により電磁的に誘導された双方向電流が流れる配電手段２０、配線１８に流れる交流電流の大きさを検出する電流検出手段１７、および電流検出手段１７により検出された交流電流の大きさに応じて負荷を接続して交流電流の大きさを制御する負荷調整手段１９を備えている。
【００２８】
発振回路１２は、数十ｋＨｚの信号を発生するものであり、信号発生回路１４は上記信号を分周して数百Ｈｚから数十ｋＨｚの周波数の分周信号を発生して出力するものである。
【００２９】
配線１８は、図１に示すように、制御手段１６および負荷調整手段１９に接続されるものであり、たとえば、１本の銅線からなるものとしてもよいし、螺旋状に纏められた複数の銅線からなるものとしてもよい。この銅線に交流電流を流すことにより交流電流に基づく双方向電流を配電手段２０に流すことができる。
【００３０】
電流検出手段１７は、図２に示すように、比較器から構成されており、配線１８を流れる交流電流の大きさが所定の範囲の電流値よりも大きい場合には負荷調整手段１９にＵＰ信号を出力し、交流電流の大きさが所定の範囲の電流値よりも小さい場合には負荷調整手段１９にＤＯＷＮ信号を出力するものである。
【００３１】
負荷調整手段１９は、巻線２５ａ〜２５ｄの施されたコイル２５、コイル２５の巻線２５ａ〜２５ｄの配線１８への接続状態を切り換えるリレー２６、電流検出手段１７から出力されたＵＰ信号またはＤＯＷＮ信号に応じてリレー２６のスイッチ２６ａ〜２６ｅを切り換えるアップダウンシフトレジスター２７を有している。
【００３２】
配電手段２０の詳細を図３および図４に示す。図３は配電手段２０の斜視図、図４は図３に示す配電手段２０の断面図である。図３に示すように、配電手段２０は、配線１８の配線方向と同一方向に巻線２１が施された半筒形の第１磁性体２２と半筒形の第２磁性体２３とから構成されている。図４に示すように、第２磁性体２３の筒内には配線１８が密着して設けられており、第２磁性体２３は固定部材２４に固定されている。
【００３３】
固定部材２４としては、たとえば、机やテーブルなどの天板や、壁材などがあり、第１磁性体２２が設けられる側から第２磁性体２３および配線１８は直接見えないようになっている。そして、固定部材２４の第１磁性体２２が設けられる側の表面に第２磁性体２３に対向した位置に第１磁性体２２が設けられるように図４に示すように凹部２４ａが設けられている。本実施形態では、上記のように所定の固定部材２４の表面に凹部２４ａを設けるようにしたが、これに限らず、第１磁性体２２が設けられる側の表面に第２磁性体２３に対向した位置を示す四角形の図形などを記すようにしてもよい。また、固定部材２４は設けずに第１磁性体２２と第２磁性体２３とを直接接触させるようにしてもよい。
【００３４】
次に、本給電装置の作用について説明する。
【００３５】
まず、直流電源１０により発振回路１２を駆動させ、所定の周波数の信号を発生させる。発振回路１２により発生した信号は信号発生回路１４に入力され、信号発生回路１４は入力された信号を所望の周波数に分周し、その分周信号を制御手段１６に出力する。制御手段１６は入力された分周信号を正負方向に切り換えて交流電流として配線１８に出力する。交流電流の波形としては、たとえば、図５に示すような波形があり、周期ｔの信号を所望の給電時間Ｔ１だけ出力するようにすればよい。そして、この状態においては、まだ第１磁性体２２は固定部材２４上には設けられておらず、負荷調整手段１９のリレー２６においては、スイッチ２６ｅのみがＯＮされており、その他のスイッチ２６ａ〜２６ｄは開放されている。つまり、配線１８には負荷調整手段１８のコイル２５の巻線は接続されていない状態である。
【００３６】
上記のような状態において配線１８に流された交流電流の電流値は、電流検出手段１７により検出される。そして、図６に示すように、たとえば、上記のような状態において（矢印ｔ１）電流検出手段１７により検出される電流の電流値が所定の閾値Ｉ１よりも高い場合には、電流検出手段１７からＵＰ信号が出力され、負荷調整手段１９のアップダウンシフトレジスター２７に入力される。なお、閾値Ｉ１は、配線２８に流れる交流電流の目標値であるＩよりも所定の許容値だけ大きい値である。アップダウンシフトレジスター２７にＵＰ信号が入力されると、アップダウンシフトレジスター２７はリレー２６にスイッチ２６ｄをＯＮさせる制御信号を出力する。リレー２６はこの制御信号に応じてスイッチ２６ｄをＯＮする。スイッチ２６ｄがＯＮされることによりコイル２５における巻線２５ｄが配線１８に接続され、これによりインピーダンスが増加して交流電流の電流値が小さくなる（矢印ｔ２）。そして、再び、この交流電流の電流値が電流検出手段１７により検出される。そして、この検出された電流値が、図６に示すように、まだ閾値Ｉ１よりも大きい場合には（矢印ｔ３）、再び電流検出手段１７からＵＰ信号がアップダウンシフトレジスター２７に出力され、アップダウンシフトレジスター２７はリレー２６にスイッチ２６ｃをＯＮさせる制御信号を出力する。スイッチ２６ｃがＯＮされることによりコイル２５における巻線２５ｃがさらに配線１８に接続され、これによりインピーダンスがさらに増加して交流電流の電流値がさらに小さくなる。本実施形態では、図６に示すように、リレー２５のスイッチ２６ｃがＯＮされたときに配線１８に流れる交流電流の大きさが目標値Ｉとなるようにしたが、実際は、交流電流の大きさが閾値Ｉ１よりも小さくなるまで、上記のような電流検出手段１７による電流値の検出とアップダウンシフトレジスター２７からの制御信号の出力とリレー２６のスイッチ制御とが繰り返される。
【００３７】
次に、固定部材２４の凹部２４ａに第１磁性体２２が設置され、配線１８を流れる交流電流が、配電手段２０における第１磁性体２２および第２磁性体２３によって構成される空洞部分を通過する。そして、この交流電流の通過により第１磁性体２２の巻線２１には電磁的に誘導された双方向電流が流れる。そして、配線１８に流れる交流電流の波形に応じた波形の双方向電流が巻線２１に流れる。上記のようにして第１磁性体２２を設置することにより、インピーダンスが増加し、交流電流の電流値は小さくなる（矢印ｔ４）。そして、その交流電流の電流値が電流検出手段１７により検出され、たとえば、図６に示すように、その電流値が所定の閾値Ｉ２よりも低い場合には、電流検出手段１７からＤＯＷＮ信号が出力され、負荷調整手段１９のアップダウンシフトレジスター２７に入力される。なお、閾値Ｉ２は、配線２８に流れる交流電流の目標値であるＩよりも所定の許容値だけ小さい値である。アップダウンシフトレジスター２７にＤＯＷＮ信号が入力されると、アップダウンシフトレジスター２７はリレー２６にスイッチ２６ｃを開放させる制御信号を出力する。リレー２６はこの制御信号に応じてスイッチ２６ｃを開放する。スイッチ２６ｃが開放されることによりコイル２５における巻線２５ｃが配線１８から切断されたことになり、これによりインピーダンスが減少して交流電流の大きさが大きくなる（矢印ｔ５）。そして、再び、この交流電流の電流値が電流検出手段１７により検出される。そして、本実施形態では、図６に示すように、リレー２６のスイッチ２６ｃが開放されたときに配線１８に流れる交流電流の大きさが目標値Ｉとなるようにしたが、実際は、交流電流の大きさが閾値Ｉ２よりも大きくなるまで、上記のような電流検出手段１７による電流値の検出とアップダウンシフトレジスター２７からの制御信号の出力とリレー２６のスイッチ制御とが繰り返される。
【００３８】
なお、直流電源１０における電源電圧値は、想定される最短の配線１８に上記コイル２５における巻線２５ａ〜２５ｄが全て接続され、配電手段２０が設置されていない状態において配線１８に流れる交流電流の大きさがＩ２以上Ｉ１以下となるように、かつ想定される最長の配線１８から巻線２５ａ〜２５ｄが全て切断され、配電手段２０が設置された状態において交流電流の大きさがＩ２以上Ｉ１以下となるように設定する必要がある。さらに、複数の配電手段２０を配線１８に設置する場合には、想定される最長の配線１８から巻線２５ａ〜２５ｄが全て切断され、全ての配電手段２０が設置された状態において交流電流の大きさがＩ２以上Ｉ１以下となるように設定する必要がある。
【００３９】
本発明の給電装置によれば、配線１８に流れる交流電流を検出し、その検出された交流電流の大きさに応じて巻線２５ａ〜２５ｄを配線１８に接続することにより交流電流の大きさを調整するようにしたので、配線１８の長さや配電手段２０の数が異なる場合でも同一の電源で安定した電力を被給電体に供給することができる。
【００４０】
また、上記実施形態において、配電手段２０の第１磁性体２２が設置されていないときの負荷調整手段１９におけるリレー２６のスイッチ２６ａ〜２６ｅまでの接続状態を図７に示すような記憶手段２８に記憶し、リレー２６のスイッチ２６ａ〜２６ｅの接続状態が上記記憶手段２８に記憶した状態である間、制御手段１６が、図８に示すような所定の周期Ｔ２の交流電流を間欠的に出力するようにしてもよい。また、リレー２６のスイッチ２６ａ〜２６ｅの接続状態が上記記憶手段２８に記憶した状態である間、制御手段１６が配線１８への交流電流の出力を停止するようにしてもよい。
【００４１】
また、上記のように記憶手段２８にリレー２６のスイッチの接続状態を記憶しておくことにより交流電流の出力を制御するのではなく、図９および図１０に示すように、配電手段２０の第２磁性体２３に配線検出用コイル２９を設け、この配線検出用コイル２９に発生する電圧が所定の閾値以下になったことを検出する電圧検出手段３０を設けてこの電圧検出手段３０において検出された電圧が所定の閾値以下である間、第１磁性体２２が設置されていないとして、配線１８に流れる交流電流を所定の周期Ｔ２で間欠的に出力するようにしたり、配線１８への交流電流の出力を停止するようにしてもよい。具体的には、第１磁性体２２が設置される前は配線検出用コイル２９の電圧波形は、図１１に示すように、その振幅が小さく、正方向の振幅の大きさは所定の閾値Ｖ１よりも小さい。このとき電圧検出手段３０は配線検出用コイル２９の電圧値が閾値Ｖ１以下であることを検出し、その検出信号を制御手段１６に出力する。この検出信号に応じて制御手段１６は、図１１に示すように、交流電流を所定の周期Ｔ２で間欠的に配線１８に出力する。そして、第１磁性体２２が設置されると配線検出用コイル２９に発生する電圧波形の振幅は増加し（矢印ｓ１）、所定の閾値Ｖ１よりも大きくなる。そして、配線検出用コイル２９の電圧値が閾値Ｖ１より大きくなったことが電圧検出手段３０により検出され、この検出信号が制御手段１６に出力され、この検出信号に応じて制御手段１６は配線１８に交流電流を連続的に出力する。この連続的な交流電流の出力に応じて配電手段２０の巻線２１に双方向電流が流れる。そして、第１磁性体２２が固定部材２４から取り外された場合には（矢印ｓ２）、再び配線用検出コイル２９に発生する電圧の振幅は小さくなり、閾値Ｖ１よりも小さくなる。そして、このことが電圧検出手段３０により検出され、電圧検出手段３０はこの検出信号を制御手段１６に出力する。制御手段１６は、この検出信号に応じて再び配線１８に交流電流を周期Ｔ２で間欠的に出力する。図１２に、たとえば、配線１８に配線検出用コイル２９を有する２つの配電手段２０を２つ設けた場合における電圧検出手段３０、制御手段１６の回路図を示す。電圧検出手段３０は、２つの配電手段２０の少なくともいずれか一方の配線検出用コイル２９に発生する電圧の大きさが所定の閾値以下の場合にその検出信号を制御手段１６に出力するように構成され、制御手段１６はこの検出信号に応じて交流電流を間欠的に配線１８に出力するように構成されている。
【００４２】
また、上記実施形態において第１磁性体２２の巻線２１に流された双方向電流は、図１３に示すような定電圧回路３１により安定化された後、外部装置へ電源電圧として供給される。
【００４３】
また、上記実施形態においては、配線１８に接続されるコイル２５の巻線２５ａ〜２５ｄを変更することにより配線１８に流れる交流電流の大きさを制御するようにしたが、これに限らず、たとえば、巻線２５ａ〜２５ｄの替わりに複数の抵抗素子を設け、配線１８に接続される抵抗素子の数を変更することにより交流電流の大きさを制御するようにしてもよい。
【００４４】
また、上記実施形態において、第１磁性体２２および第２磁性体２３が配線１８を挟むように第１磁性体２２および第２磁性体２３を固定する固定手段を設けるようにすることができる。
【図面の簡単な説明】
【図１】本発明による給電装置の一実施形態の概略構成図
【図２】図１に示す給電装置における制御手段、電流検出手段および負荷調整手段の回路図
【図３】図１に示す給電装置における配電手段の斜視図
【図４】図３に示す配電手段の断面図
【図５】配線に流れる交流電流の電流波形の一例を示す図
【図６】配線に流れる交流電流の大きさと負荷調整手段の作用との関係を説明するための図
【図７】本発明の給電装置のその他の実施形態の概略構成図
【図８】配線に交流電流を間欠的に流す場合における電流波形を示す図
【図９】本発明の給電装置のその他の実施形態の概略構成図
【図１０】図９に示す給電装置における配電手段の詳細図
【図１１】図９に示す給電装置の作用を説明するための図
【図１２】図９に示す給電装置における電圧検出手段および制御手段の回路図
【図１３】配電手段に流れる双方向電流を外部装置へ電源電圧として出力するための回路を示す図
【符号の説明】
１０    直流電源
１２    発振回路
１４    信号発生回路
１６    制御手段
１７    電流検出手段
１８    配線
１９    負荷調整手段
２０    配電手段
２１    巻線
２２    第１磁性体
２３    第２磁性体
２４    固定部材
２５    コイル
２６    リレー
２７    アップダウンシフトレジスター
２８    記憶手段
２９    配線検出用コイル
３０    電圧検出手段
３１    定電圧回路
【図１】
2004166449.tif 000003
【図２】
2004166449.tif 000004
【図３】
2004166449.tif 000005
【図４】
2004166449.tif 000006
【図５】
2004166449.tif 000007
【図６】
2004166449.tif 000008
【図７】
2004166449.tif 000009
【図８】
2004166449.tif 000010
【図９】
2004166449.tif 000011
【図１０】
2004166449.tif 000012
【図１１】
2004166449.tif 000013
【図１２】
2004166449.tif 000014
【図１３】
2004166449.tif 000015